(57)【要約】【課題】  天体望遠鏡や測量機器等の重量のある機器用の三脚から比較的軽量なカメラ用の三脚まで幅広い三脚に固定台を簡単に着脱することができ、必要な物品を入れた収納本体を即座に持ち運びを可能とした三脚用アクセサリーケースを提供する。【解決手段】  三脚用アクセサリーケース100は、固定台10が平板状板部である主取付板部12と台座板部13、傾斜支持板部14、及び補助取付板部15が直線状に配置接続された平板体20であり、平板体両端部に位置する主取付板部12及び補助取付板部15の少なくとも一方又は両方に結合手段を備えたベルトを有し、台座板部13の一面には固定台面ファスナー11を有し、収納本体50が物品を収納可能なケースであって、収納本体50の底部にはケース面ファスナーを有し、固定台面ファスナー11にケース面ファスナーを合せて固定台10の台座板部13に収納本体50の底部を接続固定可能とした。【選択図】    図１
2014098793.tif 000002
【特許請求の範囲】
【請求項１】
三脚の脚に取り付ける固定台と、当該固定台に載置固定可能な収納本体と、を備える三脚用アクセサリーケースであって、
前記固定台は、平板状板部である主取付板部と台座板部、傾斜支持板部、及び補助取付板部が直線状に配置接続された平板体であり、各板部の接続部分を折曲部とし、平板体両端部に位置する前記主取付板部及び補助取付板部の少なくとも一方又は両方に結合手段を備えたベルトを有し、前記台座板部の一面には固定台面ファスナーを有し、該平板体である固定台を折曲部で折り曲げて主取付板と補助取付板を重ねて中空三角柱形状としたとき、主取付板部と台座板部との角度が鋭角となる各板部の長さとされ、
前記収納本体は、物品を収納可能なケースであって、前記収納本体の底部にはケース面ファスナーを有し、
前記固定台を中空三角柱形状とするときに前記固定台面ファスナーを外向きとして前記主取付板と前記補助取付板を重ね、前記固定台面ファスナーを上方として前記ベルトを前記三脚の脚に巻き付けて前記結合手段で前記固定台を前記三脚の脚に固定し、前記固定台面ファスナーに前記ケース面ファスナーを合せて前記固定台の前記台座板部に前記収納本体の底部を接続固定可能としたことを特徴とする三脚用アクセサリーケース。
【請求項２】
前記結合手段は、凹状バックルと凸状バックルからなるベルトバックルであることを特徴とする請求項１に記載の三脚用アクセサリーケース。
【請求項３】
前記結合手段は、面ファスナーであることを特徴とする請求項１に記載の三脚用アクセサリーケース。
【請求項４】
前記固定台は、前記三脚の脚との接触面に弾性体を設けることを特徴とする請求項１乃至請求項３の何れかに記載の三脚用アクセサリーケース。
【請求項５】
前記収納本体は、スライドファスナーを有してケース上蓋を開口可能とすることを特徴とする請求項１乃至請求項４の何れかに記載の三脚用アクセサリーケース。
【請求項６】
前記収納本体は、収納する物品に応じて、ウレタン等による緩衝材である中敷きを設けていることを特徴とする請求項１乃至請求項５の何れかに記載の三脚用アクセサリーケース。
【請求項７】
前記収納本体は、表面の周縁に反射部材を設けることを特徴とする請求項１乃至請求項６の何れかに記載の三脚用アクセサリーケース。
【発明の詳細な説明】
【技術分野】
【０００１】
本発明は、三脚に取り付ける三脚用アクセサリーケースに関するものである。
【背景技術】
【０００２】
従来から、一眼レフカメラ、双眼鏡、又は天体望遠鏡などといった所定の倍率を有する光学機器を用いて、撮影したり、天体、地形を眺めたりするなど、種々の対象物を撮影、観望して楽しむことが行われている。
【０００３】
そして、野外に於ける撮影、観測の現場に於いて、三脚等を組立て、機器本体を支持する脚部を固定するとともに、撮影、観測に使用する交換レンズ、フィルター等の機器装備用又は、小物等のアクセサリーを現場近傍で直ちに使用可能なように準備しておく必要があった。
【０００４】
これらのアクセサリーは、構図変更等により撮影位置の変化をするときには、即座に持ち運ぶ必要があったり、現場の状況が急な雨天となったときには、ケース内に収納して保護する必要があった。
【０００５】
そこで、下記に示す特許文献１には、カメラ用三脚ケ−スに好適で、嵩張らず軽量で三脚収納時の移動に至便であり、写真撮影時には、いわゆるスト−ンバッグとして使用でき、三脚の安定性を図るとともに、雨天時や厳寒時にはカメラ用の物品の雨避けや防寒用に使用でき、また、リュックサックとしても使用可能で、多様な使用を図れるようにした三脚ケ−スが開示されている。
【先行技術文献】
【特許文献】
【０００６】
【特許文献１】特開２００４―３３８７３９号公報
【発明の概要】
【発明が解決しようとする課題】
【０００７】
しかしながら、上述の特許文献１の三脚ケースは、三脚と一体とさせる際に、落下しないようにリュックサックに変形させ複数のベルトを三脚の脚部分に巻き付ける必要があり巻き付けには時間を要するとともに、収納した物品を即座に取り出すことが困難であるという課題があった。
【０００８】
本発明は、天体望遠鏡や測量機器等の重量のある機器用の三脚から比較的軽量なカメラ用の三脚まで幅広い三脚に固定台を簡単に着脱することができ、必要な物品を入れた収納本体を即座に持ち運びを可能とした三脚用アクセサリーケースを提供することを目的とする。
【課題を解決するための手段】
【０００９】
本発明の三脚用アクセサリーケースは、三脚の脚に取り付ける固定台と、当該固定台に載置固定可能な収納本体と、を備える三脚用アクセサリーケースであって、前記固定台は、平板状板部である主取付板部と台座板部、傾斜支持板部、及び補助取付板部が直線状に配置接続された平板体であり、各板部の接続部分を折曲部とし、平板体両端部に位置する前記主取付板部及び補助取付板部の少なくとも一方又は両方に結合手段を備えたベルトを有し、前記台座板部の一面には固定台面ファスナーを有し、該平板体である固定台を折曲部で折り曲げて主取付板と補助取付板を重ねて中空三角柱形状としたとき、主取付板部と台座板部との角度が鋭角となる各板部の長さとされ、前記収納本体は、物品を収納可能なケースであって、前記収納本体の底部にはケース面ファスナーを有し、前記固定台を中空三角柱形状とするときに前記固定台面ファスナーを外向きとして前記主取付板と前記補助取付板を重ね、前記固定台面ファスナーを上方として前記ベルトを前記三脚の脚に巻き付けて前記結合手段で前記固定台を前記三脚の脚に固定し、前記固定台面ファスナーに前記ケース面ファスナーを合せて前記固定台の前記台座板部に前記収納本体の底部を接続固定可能としたことを特徴とする。
【００１０】
好適には、前記結合手段は、凹状バックルと凸状バックルからなるベルトバックルであることがある。
【００１１】
好適には、前記結合手段は、面ファスナーであることもある。
【００１２】
好適には、前記固定台は、前記三脚の脚との接触面に弾性体を設けることを特徴とする。
【００１３】
好適には、前記収納本体は、スライドファスナーを有してケース上蓋を開口可能とすることを特徴とする。
【００１４】
好適には、前記収納本体は、収納する物品に応じて、ウレタン等による緩衝材である中敷きを設けていることを特徴とする。
【００１５】
好適には、前記収納本体は、表面の周縁に反射部材を設けることを特徴とする。
【発明の効果】
【００１６】
本発明によれば、天体望遠鏡や測量機器等の重量のある機器用の三脚から比較的軽量なカメラ用の三脚まで幅広い三脚に固定台を簡単に着脱することができ、必要な物品を入れた収納本体を即座に持ち運びを可能とした三脚用アクセサリーケースを提供することができる。
【００１７】
そして、本発明の三脚用アクセサリーケースは、三脚の脚が角棒や丸棒タイプであっても、所定の傾斜を利用してベルト及び弾性体により、確実に三脚に固定台を取り付けて、収納本体を略水平に保持させることができる。
【００１８】
また、本発明の三脚用アクセサリーケースは、三脚に巻き付けるベルトをバックルで結合するようにすれば、簡単でしかも確実に結合させることができる。
【００１９】
そして、本発明の三脚用アクセサリーケースは、三脚に巻き付けるベルトを面ファスナーで結合するようにすれば、安価な構成とすることができる。
【００２０】
また、本発明の三脚用アクセサリーケースは、収納本体のスライドファスナーをスライドさせて開口状態から閉口状態へと素早く変化させることができるので、野外使用時に悪天候になったときでも物品に対して水滴や砂塵の付着を防止することができる。
【００２１】
さらに、本発明の三脚用アクセサリーケースは、収納本体の内部に物品の形状に合わせた緩衝材としての中敷きを設けることにより、運搬時の振動によるキズや破損等を防止することができる。
【００２２】
また、本発明の三脚用アクセサリーケースは、収納本体の周縁に反射部材を設けることにより暗闇であっても、収納本体を容易に見つけることができる。
【図面の簡単な説明】
【００２３】
【図１】本発明の実施形態に係る三脚用アクセサリーケースの斜視図である。
【図２】本発明の実施形態に係る三脚用アクセサリーケースの固定台の組み立て前の平板状態の平面図である。
【図３】本発明の実施形態に係る固定台を三脚に組み付けた時の斜視図である。
【図４】本発明の実施形態に係る三脚用アクセサリーケースの収納本体を下方から見た外観斜視図である。
【図５】本発明の実施形態に係る三脚用アクセサリーケースの収納本体の上蓋を開いた状態の斜視図である。
【図６】本発明の実施形態に係る三脚用アクセサリーケースの収納本体の中敷きの説明図である。
【図７】本発明の実施形態に係る三脚用アクセサリーケースの収納本体の中敷きの説明図である。
【図８】本発明の実施形態に係る三脚用アクセサリーケースの収納本体の中敷きの説明図である。
【図９】本発明の実施形態に係る三脚用アクセサリーケースの収納本体の中敷きの説明図である。
【発明を実施するための形態】
【００２４】
以下、本発明の実施形態を図面を用いて説明する。図１は、実施形態に係る三脚用アクセサリーケース100の概要について説明するための図である。
【００２５】
三脚用アクセサリーケース100は、図１に示すように、三脚200の傾斜した脚201を利用して固定すべくベルトを巻きつけるようにして取り付ける三角柱形状をした固定台10と、三角柱形状の上面を略水平とした固定台10に載せるように配置させて接続させた収納本体50とを備えるものである。
【００２６】
固定台10は、内部のコア部分を薄板状の合成樹脂又は金属で形成しており、表皮として表面を撥水加工や防水加工を施した素材で形成している。
【００２７】
そして、固定台10は、上方に位置する収納本体50を配置させる面の表面に固定台面ファスナー11を設けており、収納本体50の落下防止とされている。
【００２８】
また、固定台10は、三脚200の所定の傾斜により配置される脚201を利用して固定すべく巻き付けるベルトにベルトバックルを設けており、三脚200への取付けをワンタッチで可能とされている。
【００２９】
そして、固定台10は、使用時は三角形部分を中空とした三角柱形状をしているが、運搬時等には、図２に示すように、両端にベルトが接続される板状の略長方形形状とされる平板体20である。
【００３０】
固定台10は、図２（ａ）に示した平板体20の表部分が外装を形成するものである。そして、固定台10は、図２（ａ）に示した平板体20の右側から幅を同サイズとして、直線状に配置接続され、順に主取付板部12、台座板部13、傾斜支持板部14、及び補助取付板部15の各面を形成している。
【００３１】
また、固定台10は、各板部の接続部分を夫々平行な直線状の折曲部とし、主取付板部12と台座板部13との間に第一折曲部23を有し、台座板部13と傾斜支持板部14との間に第二折曲部22を有し、傾斜支持板部14と補助取付板部15との間に第三折曲部21を有するものである。
【００３２】
主取付板部12には、表側中央部分に三脚200の脚201との接触面として滑り止めのストッパー部材である弾性体42を設けている。
【００３３】
また、主取付板部12は、弾性体42を挟むようにして長穴を設けており、ナイロン製で表面が目の粗いメインベルト25を挿通させ、図２（ｂ）に示すように主取付板部12の裏側には三脚200への巻き付け用のメインベルト25が面ファスナー40により係着される構造とされている。そして、主取付板部12の面ファスナー40は、固定台10として三角柱形状に折り曲げて組立てたときに、補助取付板部15の面ファスナー40と対向して接続させるものでもある。
【００３４】
台座板部13は、表側に面ファスナーを固定台面ファスナー11として有し、台座板部13に載置する収納本体50を固定可能とするように幅太の帯状で平行に二箇所に設けている。
【００３５】
傾斜支持板部14は、図３に示すように、組立てた固定台10の台座板部13を水平に保持させるための傾斜した支持板である。なお、傾斜支持板部14は、台座板部13を水平に支持できる強度を有するようにすれば幅細としたり、矩形内部を肉抜きした形状としても構わない。
【００３６】
補助取付板部15は、表側に固定台10として三角柱形状に折り曲げて組立てた際に、主取付板部12の裏側で角度調整可能なようにして接続できる面ファスナー40を設けている。そして、主取付板部12と補助取付板部15とを重ねて中空三角柱形状としたとき、主取付板部12と台座板部13との角度が鋭角となるように各板部の長さが設定されている。
【００３７】
また、補助取付板部15は、裏側の固定台10端部に、三脚200への巻き付け用のサブベルト35を縫いつけて取付けられている。
【００３８】
各ベルト25、35には、夫々に凹状バックル26、36と凸状バックル27、37とを設けてあり、各ベルトはワンタッチで接続可能とされている。また、各ベルト25、35には、そのベルト長を調節可能なように各凸状バックルと一体とされるベルト長調整部28、38を設けており、これにより、巻き付ける三脚200の脚201の形状、大きさに応じて各ベルトの長さを調整可能とされている。なお、各ベルトの結合手段はバックルに限らず、面ファスナーでもよい。
【００３９】
収納本体50は、物品を収納するケースであって、内部を硬質の合成樹脂で形成して頑丈な構成としており、表皮として表面を撥水加工や防水加工を施した素材で覆うように形成されており、図４及び図５に示すようにスライドファスナー51により上蓋55を上方に開口可能とされている。
【００４０】
さらに、収納本体50は、表皮において、スライドファスナー51を帯状で挟むようにして、表面の周縁に反射テープ53等の反射部材を刺繍で設けている。
【００４１】
また、収納本体50は、図４に示したように、下面に面ファスナーをケース面ファスナー52として設けており、三脚200への取付時に固定台10と合体させるときには、収納本体50のケース面ファスナー52と、略水平とされる固定台10の固定台面ファスナー11とを対向させるように配置し、収納本体50が固定台10に接続固定される。また、収納本体50には、スライドファスナー51の下方に持ち運びを容易とする取っ手54を設けている。
【００４２】
収納本体50は、図５に示したように、上蓋55を上方に開いて開口された状態を保持させる構造とされている。これにより、収納本体50は、野外に於ける撮影、観測の現場に於いて、使用する交換レンズ、フィルター等の機器装備用又は、小物等のアクセサリーを現場近傍で直ちに使用することができる。
【００４３】
これらのアクセサリーは、構図変更等により撮影位置の変化をするとき、又は、現場の状況が急な雨天となったときには、直ちに、スライドファスナー51を閉じて移動させることにより砂塵、水滴等から保護される。
【００４４】
そして、収納本体50は、ケース内部に収納する物品に応じて中敷き60を設けているものもある。中敷き60は、収納する物品の形状に応じて凹状の加工をされており、例えば、交換レンズ等であれば、図６及び図７に示すように接眼レンズ等の交換レンズの形状に合わせた半円柱形状の凹部を形成したウレタン等による緩衝材の機能も有する中敷き60を収納本体50の収納部側に設け、上蓋55にも中敷き60を設けて、上下で緩衝材で挟むようにして内部の交換レンズを運搬時の振動によるキズや破損等から保護するものである。
【００４５】
また、中敷き60は、収納する物品の形状に応じて凹状の加工をされており、例えば、計測器等であれば、図８及び図９に示すように天体望遠鏡等の機器コントローラや計測器の形状に合わせた直方体形状の凹部を形成したウレタン等による中敷き60を収納本体50の収納部側に設け、上蓋55にも中敷き60を設けて、上下で緩衝材で挟むようにして内部の機器コントローラや計測器を運搬時の振動によるキズや破損等から保護するものである。
【００４６】
なお、本発明のいくつかの実施形態を説明したが、これらの実施形態は、例として提示したものであり、発明の範囲を限定することは意図していない。これら新規な実施形態は、その他の様々な形態で実施されることが可能であり、固定台10にはメインベルト25とサブベルト35を有する構成として説明してきたが、三脚200へ巻き付ける取付強度を確保すれば、何れか一方のベルトのみを有して、三脚200の脚201に巻き付けるような構成としても構わない。
【００４７】
以上のように本実施形態によれば、天体望遠鏡や測量機器等の重量のある機器用の三脚200から比較的軽量なカメラ用の三脚200まで幅広い三脚200に固定台を簡単に着脱することができ、必要な物品を入れた収納本体50を即座に持ち運びを可能とした三脚用アクセサリーケース100を提供することができる。
【００４８】
そして、本実施形態によれば、三脚200の脚201が角棒や丸棒タイプであっても、所定の傾斜を利用してベルト及び弾性体42により、確実に三脚200に固定台10を取り付けて、収納本体50を略水平に保持させることができる。
【００４９】
また、本実施形態によれば、三脚200に巻き付けるベルトをバックルで結合するようにすれば、簡単でしかも確実に結合させることができる。
【００５０】
さらに、本実施形態によれば、三脚200に巻き付けるベルトを面ファスナーで結合するようにすれば、安価な構成とすることができる。
【００５１】
また、本実施形態によれば、固定台10を普段は平板体20として収納できることから、運搬時に嵩張らずに済む。
【００５２】
そして、本実施形態によれば、収納本体50のスライドファスナー51をスライドさせて開口状態から閉口状態へと素早く変化させることができるので、野外使用時に悪天候になったときでも物品に対して水滴や砂塵の付着を防止することができる。
【００５３】
そして、本実施形態によれば、収納本体50の内部に物品の形状に合わせた緩衝材としての中敷き60を設けることにより、運搬時の振動によるキズや破損等を防止することができる。
【００５４】
また、本実施形態によれば、収納本体50の周縁に反射部材を設けることにより暗闇であっても、収納本体50を容易に見つけることができる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに特許請求の範囲に記載された発明とその均等の範囲に含まれる。
【符号の説明】
【００５６】
１０    固定台                          １１    固定台面ファスナー
１２    主取付板部                      １３    台座板部
１４    傾斜支持板部
１５    補助取付板部
２０    平板体
２１    第三折曲部                      ２２    第二折曲部
２３    第一折曲部
２５    メインベルト                    ２６    凹状バックル
２７    凸状バックル                    ２８    ベルト長調整部
３５    サブベルト                      ３６    凹状バックル
３７    凸状バックル                    ３８    ベルト長調整部
４０    面ファスナー                    ４２    弾性体
５０    収納本体                        ５１    スライドファスナー
５２    ケース面ファスナー              ５３    反射テープ
５４    取っ手
６０    中敷き
１００  三脚用アクセサリーケース
２００  三脚                            ２０１  脚（三脚）
【図１】
2014098793.tif 000003
【図２】
2014098793.tif 000004
【図３】
2014098793.tif 000005
【図４】
2014098793.tif 000006
【図５】
2014098793.tif 000007
【図６】
2014098793.tif 000008
【図７】
2014098793.tif 000009
【図８】
2014098793.tif 000010
【図９】
2014098793.tif 000011